(57)【要約】【課題】  動画データの編集のつなぎ目の確認を効率的、かつ簡単な操作で実現することができる記録再生装置を提供する。【解決手段】  編集対象となり得る１つの連続した動画であるカットの内容の一部を示すサムネール画像をカットごとに生成して保持された複数のサムネール画像のうち、編集対象として選択された選択サムネール画像のカットを再生する順に少なくとも所定の複数の選択サムネール画像と、選択サムネール画像間を示す所定の領域とを並べて同時に表示する接続可能な表示手段１０１と、表示手段に表示された選択サムネール画像間の所定の領域が指示された場合に、指示された所定の領域を挟む選択サムネール画像のカットのうち、先に再生されるべきであるカットの所定の末尾部分及び後に再生されるべきであるカットの所定の先頭部分を連続して再生する制御手段１０２とを備える。【選択図】  図１
2006114163.tif 000002
【特許請求の範囲】
【請求項１】
編集対象となり得る１つの連続した動画であるカットの内容の一部を示すサムネール画像をカットごとに生成して保持された複数のサムネール画像のうち、編集対象として選択された選択サムネール画像のカットを再生する順に少なくとも所定の複数の前記選択サムネール画像と、前記選択サムネール画像間を示す所定の領域とを並べて同時に表示する接続可能な表示手段と、
前記表示手段に表示された前記選択サムネール画像間の前記所定の領域が指示された場合に、指示された前記所定の領域を挟む前記選択サムネール画像のカットのうち、先に再生されるべきであるカットの所定の末尾部分及び後に再生されるべきであるカットの所定の先頭部分を連続して再生する制御手段とを、
備える記録再生装置。
【請求項２】
編集対象となり得る１つの連続した動画であるカットの内容の一部を示すサムネール画像をカットごとに生成して保持された複数のサムネール画像のうち、編集対象として選択された選択サムネール画像のカットを再生する順に少なくとも所定の複数の前記選択サムネール画像と、前記選択サムネール画像間を示す所定の領域とを並べて同時に表示する接続可能な表示手段と、
前記表示手段に表示された前記選択サムネール画像間の前記所定の領域が指示された場合に、指示された前記所定の領域を挟む前記選択サムネール画像のカットのうち、先に再生されるべきであるカットの所定の末尾部分からそれ以降のカットを連続して再生する制御手段とを、
備える記録再生装置。
【発明の詳細な説明】
【技術分野】
【０００１】
本発明は、動画編集において結合された動画データのつなぎ目の確認をする記録再生装置に関する。
【背景技術】
【０００２】
既存の映像記録再生装置では、実際の動画データを編集結合するのではなく、編集ポイント（編集開始点、編集終了点）のデータを利用して複数の動画データの頭出しを行い、動画データが編集されたかのような連続的な再生を行うことが可能になっている。このような機能をプレイリスト機能と呼ぶ。これは、主にディスクメディアやメモリメディアのようなランダムアクセス可能なメディアに動画を記録する装置において実現されている。上述するような、実際の動画データを編集結合せずに連続再生する技術が下記の特許文献１に開示されている。プレイリストは、実際に編集データを１つの動画データとして生成することなく、個々の動画データ（以下、編集素材とも言う）と編集するための編集リストのみで編集結果を再現することができるものである。このような装置においては、実際に動画データを結合、再生成しなくても、編集素材の編集ポイントの情報さえあれば、ある編集素材の編集終了点から次の編集素材の編集開始点へつなげることができるため、編集作業における編集素材のつなぎ目の確認は可能である。
【０００３】
したがって、このような装置においては、編集ポイントの設定方法や編集素材の並び順などの編集情報をどのように扱うかが各装置の違いとなっている。ある装置（第１の装置）では、図８に示すように、編集ポイントを動画データの先頭からの再生時間として表し、テキスト（文字）表示したものを並べる。すなわち、カット（サムネールが示す動画の単位）＃００１においては、編集ポイントを動画データの先頭００：００：０１：１２〜終了００：００：０５：２３としている。また、他の装置（第２の装置）では、図９に示すように、サムネールをタイムライン上に編集素材として並べ、そのタイムライン上で再生時刻位置を指定できるようなマーカー９００を表示させることで再生開始点を指示するようにする。これらの装置において、カット同士のつなぎ目の編集結果の確認の方法について以下に示す。まず、第１の装置においては、編集ポイントの情報が数字で表現されており、その組み合わせが１つのカットを示している。そして、次のカットも同様に数字で編集ポイントが表現されている。このため、つなぎ目を確認するには、各カットに通し番号などを付し、かつ図１０のように指定枠１０００で１つのカットを指定し、次に図１１のように指定枠１１００でもう１つのカットを指定し、指定された２つのカットを再生することになる。一方、第２の装置においては、図９に示すように、マーカー９００をカット＃００３の編集ポイント（編集開始点）の直前に位置させ、再生開始ＳＷ（スイッチ）などをユーザが操作し、カット＃００２とカット＃００３のつなぎ目を再生して確認することになる。
【特許文献１】特開２００４−１４０７５０号公報（段落００６１）
【発明の開示】
【発明が解決しようとする課題】
【０００４】
しかしながら、第１の装置では、２つのカットを指定後、カットを再生する場合、２つのカットすべてを再生するため、無駄な再生をすることになる。仮に２つのカットすべての再生ではなく、つなぎ目の一部のみを再生するようにするには、他のカット指定方法が必要であり、装置の構成が煩雑になるという問題がある。一方、第２の装置では、カット＃００２をどのくらい遡って再生するかを任意に、かつ簡単な操作で再生開始点を指定できるが、再生終了点は指定できない。そのため、つなぎ目部分のみの確認をしたい場合でも、再生開始点以降のカットもすべて再生することになる。また、繰り返し同じ操作をしたい場合には、再度、マーカー９００を再生開始点へ移動させる必要があり操作が面倒であるという問題がある。
【０００５】
本発明は、上記問題を解決するためのものであり、動画データの編集のつなぎ目の確認を効率的、かつ簡単な操作で実現することができる記録再生装置を提供することを目的とする。
【課題を解決するための手段】
【０００６】
上記目的を達成するために、本発明によれば、編集対象となり得る１つの連続した動画であるカットの内容の一部を示すサムネール画像をカットごとに生成して保持された複数のサムネール画像のうち、編集対象として選択された選択サムネール画像のカットを再生する順に少なくとも所定の複数の前記選択サムネール画像と、前記選択サムネール画像間を示す所定の領域とを並べて同時に表示する接続可能な表示手段と、前記表示手段に表示された前記選択サムネール画像間の前記所定の領域が指示された場合に、指示された前記所定の領域を挟む前記選択サムネール画像のカットのうち、先に再生されるべきであるカットの所定の末尾部分及び後に再生されるべきであるカットの所定の先頭部分を連続して再生する制御手段とを備える記録再生装置が提供される。
【０００７】
また、本発明によれば、編集対象となり得る１つの連続した動画であるカットの内容の一部を示すサムネール画像をカットごとに生成して保持された複数のサムネール画像のうち、編集対象として選択された選択サムネール画像のカットを再生する順に少なくとも所定の複数の前記選択サムネール画像と、前記選択サムネール画像間を示す所定の領域とを並べて同時に表示する接続可能な表示手段と、前記表示手段に表示された前記選択サムネール画像間の前記所定の領域が指示された場合に、指示された前記所定の領域を挟む前記選択サムネール画像のカットのうち、先に再生されるべきであるカットの所定の末尾部分からそれ以降のカットを連続して再生する制御手段とを備える記録再生装置が提供される。
【発明の効果】
【０００８】
本発明の記録再生装置は、上記構成を有し、動画データの編集のつなぎ目の確認を効率的、かつ簡単な操作で実現することができる。
【発明を実施するための最良の形態】
【０００９】
以下、本発明の実施の形態について図１から図７を用いて説明する。図１は本発明の実施の形態に係る記録再生装置の構成を示す図である。図２は本発明の実施の形態に係る記録再生装置における編集画面表示部に表示される選択サムネール及びつなぎ目のうち、選択サムネールが選択された状態を示す図である。図３は本発明の実施の形態に係る記録再生装置における編集画面表示部に表示される選択サムネール及びつなぎ目のうち、つなぎ目が選択された状態を示す図である。図４は本発明の実施の形態に係る記録再生装置における編集画面表示部に表示される選択サムネール及びつなぎ目のうち、選択サムネールが選択された状態の他の例を示す図である。図５は本発明の実施の形態に係る記録再生装置における編集画面表示部に表示される選択サムネール及びつなぎ目のうち、つなぎ目が選択された状態の他の例を示す図である。図６は本発明の実施の形態に係る記録再生装置におけるサムネールのカットのつなぎ目の前後の再生時間の設定について説明するための図である。図７は本発明の実施の形態に係る記録再生装置におけるカットのつなぎ目の再生処理フローについて説明するためのフローチャートである。
【００１０】
まず、本発明の実施の形態に係る記録再生装置について図１を用いて説明する。図１に示すように、記録再生装置１００は、編集画面表示部１０１、制御部１０２、映像記録再生部１０３、記憶部１０４、時間設定ＳＷ１０５、サムネール・指標選択ＳＷ１０６、再生開始ＳＷ１０７から構成されている。編集画面表示部１０１は、後述する記憶部１０４に格納された、カットの内容の一部を示すサムネールを表示する。本発明の実施の形態に係る記録再生装置１００では、編集画面表示部１０１が含まれる構成となっているが、これに限られるものではなく、編集画面表示部１０１が外部装置として記録再生装置１００に接続可能であってもよい。ここで、編集画面表示部１０１に表示されるサムネールは、あらかじめ制御部１０２若しくは不図示のサムネール生成部によって生成され、記憶部１０４などに格納される。
【００１１】
また、編集画面表示部１０１は、編集画面表示部１０１に表示されたサムネールのうち、サムネール・指標選択ＳＷ１０６を介してユーザによって選択された選択サムネールのカットを再生する順に選択サムネールを並べて表示することもできる。制御部１０２は、サムネールを編集画面表示部１０１に表示させる。また、制御部１０２は、編集画面表示部１０１に表示されたサムネールを見たユーザが、編集しようとするカットのサムネールを選択し、サムネール・指標選択ＳＷ１０６を押下するなどして発生した信号に基づいて、選択サムネールを編集画面表示部１０１に表示させる。また、制御部１０２は、編集画面表示部１０１に表示された選択サムネールを見たユーザが、カットのつなぎ目の確認をするためにサムネール・指標選択ＳＷ１０６及び再生開始ＳＷ１０７を押下するなどして発生した信号に基づいて、動画（カット）を連続して再生する。
【００１２】
ここで、ユーザが、選択サムネールと選択サムネール間を示す所定の領域（後述するつなぎ目、以下単に所定の領域とも言う）とが表示された編集画面表示部１０１を見て、サムネール・指標選択ＳＷ１０６によって選択サムネールを選択した状態を図２、所定の領域を選択した状態を図３に示す。なお、選択サムネール間を示す所定の領域は、制御部１０２によって選択サムネールと共に編集画面表示部１０１に表示される。図２は、表示された選択サムネール２００〜２０２及び所定の領域２０３、２０４のうち、ユーザによって選択サムネール２０２が選択された状態を示している。図３は、表示された選択サムネール２００〜２０２及び所定の領域２０３、２０４のうち、ユーザによって所定の領域２０４が選択された状態を示している。なお、選択サムネール２００〜２０２及び所定の領域２０３、２０４の並びは、図２及び図３のように横に並べられる場合の他に、図４及び図５のように縦に並べられる場合も考えられる。
【００１３】
また、制御部１０２がサムネール（不図示）、選択サムネール２００〜２０２、及び所定の領域２０３、２０４を編集画面表示部１０１に表示させ、動画（カット）を連続して再生しているが、２つの制御部を設けてそれぞれの処理を２つの制御部にさせるようにしてもよい。すなわち、編集画面表示部１０１にサムネール、選択サムネール２００〜２０２、及び所定の領域２０３、２０４を表示させる処理は、例えば表示制御部が行い、動画（カット）を連続して再生する処理は、例えば再生制御部が行うようにしてもよい。なお、サムネール・指標選択ＳＷ１０６及び再生開始ＳＷ１０７が押下されて動画（カット）が連続して再生される処理及びそのフローなどの詳細については後述する。
【００１４】
映像記録再生部１０３は、外部から入力された映像を記憶部１０４に映像データとして格納し、また、記憶部１０４に格納された映像データに対して映像出力のための処理を施し、外部へ映像を出力する。
【００１５】
次に、カットのつなぎ目の確認をする処理の詳細について説明する。図３に示すように、ユーザがサムネール・指標選択ＳＷ１０６を用いて選択サムネール２０１と２０２との間の所定の領域であるつなぎ目２０４を選択した場合、ユーザの再生開始ＳＷ１０７の押下などに基づいて、記録再生装置１００は、つなぎ目２０４の直前の選択サムネール２０１のカットの末尾部分と直後の選択サムネール２０２のカットの先頭部分をあらかじめ設定されている時間の間、連続して再生を行い、カットのつなぎ目の確認を可能にしている。なお、図２のように、ユーザがサムネール・指標選択ＳＷ１０６を用いて選択サムネール２０２を選択した場合、ユーザの再生開始ＳＷ１０７の押下などに基づいて、記録再生装置１００は、選択サムネール２０２のカットを再生する。また、この場合、記録再生装置１００は、選択サムネール２０２のカットを再生するだけでなく、それ以降の選択サムネールのカットも連続して再生するようにしてもよい。
【００１６】
ここで、サムネールのカットのつなぎ目の前後の再生時間の設定について図６を用いて説明する。カットのつなぎ目の前後の再生時間の設定をする際には、図６に示すようなつなぎ目再生時間設定の画面が編集画面表示部１０１に表示される。ユーザはつなぎ目再生時間設定画面を見て時間設定ＳＷ１０５を押下するなどして設定を行う。ここで、再生時間の設定には、例えば３つの設定パターンがある。なお、設定パターンはこれらに限られるものではない。１つ目の設定パターンは、つなぎ目再生時間設定画面の上段に表示されている「つなぎ目の前後５秒間ずつ再生する」というパターンである。これは、つなぎ目の前後のカットのうち、先に再生されるカットの末尾部分を５秒間、後に再生されるカットの先頭部分を５秒間、連続して再生するというものである。
【００１７】
２つ目のパターンは、つなぎ目再生時間設定画面の中段に表示されている「つなぎ目の前後を指定時間（同じ長さ）再生する」というパターンである。これは、つなぎ目の前後のカットのうち、先に再生されるカットの末尾部分を指定時間、後に再生されるカットの先頭部分を指定時間、連続して再生するというものである。この指定時間は指定時間設定領域６０３によって設定される。２つ目のパターンでは再生する時間は前後のカットで同じ時間である。なお、図６では、選択されたことを示すチェック（塗り潰し）が２つ目のパターンの「つなぎ目の前後を指定時間（同じ長さ）再生する」になされている。行頭のチェック部分がラジオボタンとして選択できるＧＵＩ(Graphical User Interface）となっている。ラジオボタンとは、複数の選択肢から１つだけを選択可能にするＧＵＩを言う。３つ目のパターンは、つなぎ目再生時間設定画面の下段に表示されている「つなぎ目の前後をそれぞれの指定時間再生する」というパターンである。
【００１８】
これは、つなぎ目の前後のカットのうち、先に再生されるカットの末尾部分をある指定時間、後に再生されるカットの先頭部分をある指定時間、連続して再生するというものである。この指定時間は指定時間設定領域６０１によって設定される。３つ目のパターンは再生する時間が前後のカットで相違するパターンである。例えば、先に再生されるカットの再生時間を５秒間とし、後に再生されるカットの再生時間を１０秒間と設定することにより、先に再生されるカットの末尾部分が５秒間、後に再生されるカットの先頭部分が１０秒間連続して再生される。なお、２つ目のパターンのように、前後のカットで同じ再生時間を設定することも可能である。また、つなぎ目に続く後のカットの再生時間を規制しないようにした構成も考えられる。この場合、ユーザが再生を停止できるよう構成してもよい。また、つなぎ目の前のカットの末尾部分から最後のカットまで連続して再生するようにした構成も考えられる。この場合、指定時間設定領域６０１の後の再生時間の欄に、例えば所定の値を設定することが考えられる。
【００１９】
次に、本発明の実施の形態に係る記録再生装置におけるカットのつなぎ目の再生処理フローについて図７を用いて説明する。まず、制御部１０２は、再生開始ＳＷ（再生開始ボタン）１０７が押下されると、選択サムネール（ここでは、単にサムネールと言う）又はつなぎ目（サムネール間）のどちらがサムネール・指標選択ＳＷ１０６によって選択されたかを判断する（ステップＳ７０１）。制御部１０２は、サムネール間のつなぎ目が選択されたと判断した場合、あらかじめ設定されたつなぎ目の前後のカットの再生時間に基づいて、選択されたつなぎ目の前（直前）のカット（先に再生されるカット）の末尾部分を指定時刻から再生する（ステップＳ７０２）。一方、ステップＳ７０１において、制御部１０２によってサムネールが選択されたと判断した場合、選択されたサムネールのカットの先頭部分（先頭時刻）から再生する（ステップＳ７０３）。
【００２０】
次に、制御部１０２は、再生の終了カット・終了時刻が設定されているか否かを判断する（ステップＳ７０４）。制御部１０２は、再生の終了カット・終了時刻が設定されていないと判断した場合は、選択されたサムネールのカット以降のカットのすべての再生が終了したか否かを判断する（ステップＳ７０５）。すべてのカットの再生が終了した場合には再生を終了させる（ステップＳ７０７）。また、制御部１０２は、ステップＳ７０４において、再生の終了カット・終了時刻が設定されていると判断した場合は、再生の終了カットの設定時刻に到達したか否かを判断する（ステップＳ７０６）。再生の終了カットの設定時刻に到達したと判断した場合は、再生を終了させる（ステップＳ７０７）。
【００２１】
以上説明したように、本発明によれば、編集作業において、サムネールで表示されるカット間を指定し、指定したつなぎ目の前後のカットを所定の時間、連続して再生するよう構成したため、編集ポイントのつながりの確認操作が簡便になる。また、本発明は、編集そのものを行わないプレイリスト機能としてもそのまま使用できるものであり、確認作業は編集結果の再生作業と全く等価である。また、つなぎ目に続くカットの再生時間を規制しないようにした構成では、つなぎ目の前に位置するカットの先頭部分、又はつなぎ目の前に位置するカットの末尾部分から最終カットまで連続再生することも可能となる。
【産業上の利用可能性】
【００２２】
本発明に係る記録再生装置は、動画データの編集のつなぎ目の確認を効率的、かつ簡単な操作で実現することができるため、動画編集において結合された動画データのつなぎ目の確認をする記録再生装置などに有用である。
【図面の簡単な説明】
【００２３】
【図１】本発明の実施の形態に係る記録再生装置の構成を示す図である。
【図２】本発明の実施の形態に係る記録再生装置における編集画面表示部に表示される選択サムネール及びつなぎ目のうち、選択サムネールが選択された状態を示す図である。
【図３】本発明の実施の形態に係る記録再生装置における編集画面表示部に表示される選択サムネール及びつなぎ目のうち、つなぎ目が選択された状態を示す図である。
【図４】本発明の実施の形態に係る記録再生装置における編集画面表示部に表示される選択サムネール及びつなぎ目のうち、選択サムネールが選択された状態の他の例を示す図である。
【図５】本発明の実施の形態に係る記録再生装置における編集画面表示部に表示される選択サムネール及びつなぎ目のうち、つなぎ目が選択された状態の他の例を示す図である。
【図６】本発明の実施の形態に係る記録再生装置におけるサムネールのカットのつなぎ目の前後の再生時間の設定について説明するための図である。
【図７】本発明の実施の形態に係る記録再生装置におけるカットのつなぎ目の再生処理フローについて説明するためのフローチャートである。
【図８】従来の記録再生装置における編集ポイントをカットごとにテキスト（文字）表示したものを示す図である。
【図９】従来の他の記録再生装置におけるタイムライン上に並べられた編集素材に対して、再生開始点を指示するマーカーを示す図である。
【図１０】従来の記録再生装置における編集ポイントをカットごとにテキスト（文字）表示したものから１つのカットを選択した場合を示す図である。
【図１１】従来の記録再生装置における編集ポイントをカットごとにテキスト（文字）表示したものから２つのカットを選択した場合を示す図である。
【符号の説明】
【００２４】
１００  記録再生装置
１０１  編集画面表示部(表示手段)
１０２  制御部（制御手段）
１０３  映像記録再生部
１０４  記憶部
１０５  時間設定ＳＷ
１０６  サムネール・指標選択ＳＷ
１０７  再生開始ＳＷ
２００、２０１、２０２  選択サムネール
２０３、２０４  つなぎ目（所定の領域）
６０１  指定時間設定領域
９００  マーカー
１０００、１１００  指定枠
【図１】
2006114163.tif 000003
【図２】
2006114163.tif 000004
【図３】
2006114163.tif 000005
【図４】
2006114163.tif 000006
【図５】
2006114163.tif 000007
【図６】
2006114163.tif 000008
【図７】
2006114163.tif 000009
【図８】
2006114163.tif 000010
【図９】
2006114163.tif 000011
【図１０】
2006114163.tif 000012
【図１１】
2006114163.tif 000013